(57)【要約】【課題】床材を能率よく剥離することができるコストの安い床材剥離装置を提供することである。【解決手段】起振器２７によってカッタブレード３３を前後方向に往復動させるようにした剥離機２０のフレーム２１に取付ブラケット４０を連結し、その取付ブラケット４０を小型油圧ショベル１の排土板１１に着脱自在に取付けて床材剥離装置のコストの低減を図り、床面Ｂに刃先３３ａを接触させたカッタブレード３３を起振器２７により前後に往復動させつつ小型油圧ショベルを前進させて床材Ａの剥離を行なうようにする。【選択図】図１
2006291592.tif 000002
【特許請求の範囲】
【請求項１】
床材剥離用のカッタブレードおよびそのカッタブレードを前後方向に往復動させる駆動装置が組込まれた剥離機と、その剥離機に連結された取付ブラケットとを有し、前記取付ブラケットを油圧ショベルに設けられた上下方向に揺動可能な排土板に着脱自在に取付けた床材剥離装置。
【請求項２】
前記取付ブラケットを排土板に対する装着状態で排土板の両側方向に位置調整自在とした請求項１に記載の床材剥離装置。
【請求項３】
前記剥離機を取付ブラケットに対して角度調整自在に取付けた請求項１又は２に記載の床材剥離装置。
【請求項４】
前記取付ブラケットが、前記排土板の排土押圧面に衝合されるベース板と、そのベース板の表面に設けられた左右一対の側板とを有し、前記ベース板の排土板と対向する背面の上下部に排土板の上部および下部に沿ってスライド可能なガイド溝を設け、前記ベース板の上下部に複数のねじ孔を形成した構成とされ、前記各ねじ孔にねじ係合される固定ボルトの締付けにより排土板に取付ブラケットを固定するようにした請求項１乃至３のいずれかに記載の床材剥離装置。
【発明の詳細な説明】
【技術分野】
【０００１】
この発明は、床面に敷設されたタイルやカーペット等の床材を剥離する床材剥離装置に関するものである。
【背景技術】
【０００２】
床面に敷設されたタイルやカーペット等の床材を剥離する床材剥離装置として特許文献１に記載されたものが従来から知られている。その特許文献１に記載された床材剥離装置は、作業車体の前側部に取付板体を上下方向に揺動可能に設け、その取付板体にブラケットを介して刃体ケーシングを揺動可能に取付け、その刃体ケーシングに設けられた刃体の先端縁を床面に対して所定の傾き角をもって接触させ、その刃体を駆動装置により振動させながら作業車体を前進させて床材を剥離するようにしている。
【特許文献１】特許第３０８８０９４号公報
【発明の開示】
【発明が解決しようとする課題】
【０００３】
ところで、上記特許文献１に記載された床材剥離装置においては、床材剥離の専用機であるため、高価であるという問題がある。また、取付板体に設けられた枢軸を中心にして回転可能なブラケットに刃体ケーシングを取付け、その刃体ケーシングを取付板体の両側縁間の中央部に設けた構成であるため、壁際の床材を剥離することができないという問題がある。
【０００４】
一般に、屋内の改装工事には小型の油圧ショベルが用いられる。そこで、その油圧ショベルのアーム先端部に前記刃体ケーシングを着脱自在に取付けることにすれば、油圧ショベルのブームやアームの操作等によって刃体ケーシングの向きを任意に調整することができるため、前記の問題点を解決することができるが、床材の剥離作業を行なう都度、アーム先端に取付けられているバケットを刃体ケーシングに取替える必要が生じ、準備作業に非常に手間がかかるという不都合が発生する。
【０００５】
また、油圧ショベルのブームやアームの傾きを調整しつつ車体を後退動させて作業位置を変更する必要があるため作業性が悪いという不都合もある。
【０００６】
この発明の課題は、床材をきわめて能率よく剥離することができると共に、壁際に敷設された床材も確実に剥離することができるコストの安い床材剥離装置を提供することである。
【課題を解決するための手段】
【０００７】
上記の課題を解決するために、この発明においては、床材剥離用のカッタブレードおよびそのカッタブレードを前後方向に往復動させる駆動装置が組込まれた剥離機と、その剥離機に連結された取付ブラケットとを有し、前記取付ブラケットを油圧ショベルに設けられた上下方向に揺動可能な排土板に着脱自在に取付けた構成を採用したのである。
【０００８】
上記の構成から成る床材剥離装置においては、油圧ショベルの排土板に取付ブラケットを取付け、カッタブレードの先端の刃先を床面に接触させた状態で駆動装置を作動し、カッタブレードを前後方向に往復動させつつ油圧ショベルを前進動させて床材を剥離する。
【０００９】
上記のような床材剥離装置において、取付ブラケットを排土板に対する装着状態で排土板の両側方向に位置調整自在とすることにより、上記取付ブラケットを排土板の一側部または他側部に取付け位置を変更することによって、壁際の床材も確実に剥離することができる。
【００１０】
また、剥離機を取付ブラケットに対して角度調整自在に取付けることにより、床面に対するカッタブレードの傾斜角を床材の種類や床材の接着力の強さに応じて調整することができるため、床材を能率よく剥離することができる。
【００１１】
ここで、取付ブラケットとして、排土板の排土押圧面に衝合されるベース板と、そのベース板の表面に設けられた左右一対の側板とを有し、前記ベース板の排土板と対向する背面の上下部に排土板の上部および下部に沿ってスライド可能なガイド溝を設け、前記ベース板の上下部に複数のねじ孔を形成した構成とすると、排土板の側方に取付ブラケットを配置し、その取付ブラケットの上下のガイド溝に排土板の上下部が嵌合されるようにして取付ブラケットを排土板の長さ方向に押し込むことにより取付ブラケットを排土板に装着することができると共に、取付ブラケットの装着状態で、その取付ブラケットを排土板の長さ方向に簡単に位置調整することができる。
【００１２】
また、複数のねじ孔のそれぞれに固定ボルトをねじ係合して締付ける簡単な作業によって取付ブラケットを固定することができる。
【発明の効果】
【００１３】
上記のように、この発明においては、カッタブレードの先端の刃先を床面に接触させ、駆動装置の作動によりカッタブレードを前後に往復動させつつ油圧ショベルを前進動させることによって床材を剥離することができるため、床材をきわめて能率よく剥離することができると共に、改装工事に必要とされる油圧ショベルを利用するため、コストの安い剥離装置を得ることができる。
【００１４】
また、剥離機を支持する取付ブラケットを排土板に着脱自在に取付けるようにしたので、油圧ショベルに装着されたバケット等の部品の取外しを必要とせず、床材剥離の準備作業も簡単であり、しかも、取付ブラケットを取外すことによって排土板を直ちに使用状態とすることができるので、改装工事の作業効率を大幅に向上させることができる。
【発明を実施するための最良の形態】
【００１５】
以下、この発明の実施の形態を図面に基づいて説明する。図１に示すように、小型油圧ショベル１は、車体２の両側に設けられた一対のクローラ３によって走行され、上記車体２の前側部に設けられた軸４を中心にしてブーム５が揺動自在に支持されている。また、ブーム５の先端部にはアーム６の後端部が軸７を介して回動自在に連結され、そのアーム６の先端部にバケット８が取付けられている。
【００１６】
ブーム５はブーム用シリンダ９により揺動され、一方、アーム６はアーム用シリンダ１０によって揺動される。
【００１７】
車体２の前側部には排土板１１が設けられ、その排土板１１の背面に設けられた排土板アーム１２が車体２に支持された軸１３を中心にして揺動自在とされている。上記排土板１１は、その排土板１１と車体２とに両端部が連結された油圧シリンダ１４により軸１３を中心にして上下方向に揺動される。
【００１８】
排土板１１には剥離ユニットＵが取付けられている。図２乃至図６は剥離ユニットＵを示す。図示のように、剥離ユニットＵは、剥離機２０と、その剥離機２０を支持する取付ブラケット４０とから成る。
【００１９】
剥離機２０はフレーム２１を有し、そのフレーム２１は支持板２２に左右一対の側板２４を設け、その一対の側板２４の前部間と後部間にステー２５、２６をかけ渡した構成とされている。
【００２０】
前部ステー２５と後部ステー２６間には駆動装置としての起振器２７が設けられている。起振器２７はその両側面に取付けられた弾性体２８を介してフレーム２１の側板２４に弾性支持されている。起振器２７には、前部ステー２５と対向する前面に前部シャフト２９が設けられ、また、後部ステー２６と対向する後面に後部シャフト３０が設けられている。
【００２１】
前部シャフト２９と後部シャフト３０は同軸上の配置とされ、前部シャフト２９は前部ステー２５をスライド自在に貫通してその前部ステー２５により回転自在に支持されている。また、後部シャフト３０は後部ステー２６によってスライド自在に、かつ回動自在に支持されている。
【００２２】
起振器２７はその上部に設けた油圧モータ３１により駆動され、その起振器２７の駆動によって前部シャフト２９と後部シャフト３０が前後方向に往復動されるようになっている。
【００２３】
前部シャフト２９の先端部にはカッタホルダ３２が設けられ、そのカッタホルダ３２にカッタブレード３３が着脱自在に取付けられている。
【００２４】
フレーム２１における支持板２２の下面には前後に間隔をあけて一対のリンク部材３４、３５が設けられ、各リンク部材３４、３５の先端部にはピン孔３６、３７が形成されている。前側リンク部材３４は後側リンク部材３５より長く、その後側リンク部材３５のピン孔３７を中心とする円弧状とされている。
【００２５】
取付ブラケット４０は、排土板１１の排土押圧面１１ａに衝合されるベース板４１と、そのベース板４１の表面に設けられた左右一対の側板４２とから成り、上記ベース板４１の排土板１１と対向する背面の上下部に排土板１１の上部および下部がスライド自在に嵌合される一対のガイド溝４３が形成されている。また、ベース板４１の上部および下部には複数のねじ孔４４が形成され、各ねじ孔４４に固定ボルト４５がねじ係合されている。また、固定ボルト４５にはロックナット４６がねじ係合されている。
【００２６】
一対の側板４２は、前述の前側リンク部材３４および後側リンク部材３５が挿入可能な間隔をおいて対向配置されている。一対の側板４２の上部にはピン孔４７が形成され、そのピン孔４７および後側リンク部材３５のピン孔３７に挿入される連結ピン４８によって取付ブラケット４０にフレーム２１が角度調整自在に連結されている。また、一対の側板４２と前側リンク部材３４の相互間にはフレーム２１を角度調整位置で固定する固定手段５０が設けられている。
【００２７】
固定手段５０は、一対の側板４２に形成された複数のボルト挿入孔５１と、そのボルト挿入孔５１に挿入されるボルト５２と、そのボルト５２にねじ係合されるナット５３とから成り、上記複数のボルト挿入孔５１はピン孔４７を中心として前側リンク部材３４のピン孔３６中心を通る一つの円上に等間隔に設けられ、複数のボルト挿入孔５１の一つと前側リンク部材３４のピン孔３６にボルト５２を挿通し、そのボルト５２にナット５３をねじ係合して締付けることにより、フレーム２１を角度調整位置で固定するようにしている。
【００２８】
なお、一対の側板４２に一つのピン孔を形成し、前側リンク部材３４に複数のボルト挿入孔を設けるようにしてもよい。また、複数のボルト挿入孔５１に代えて円弧状の長孔を形成してもよい。
【００２９】
実施の形態で示す床材剥離装置は上記の構造から成り、図２に示す床材Ａの剥離に際しては、小型油圧ショベル１の排土板１１に剥離機２０を支持する取付ブラケット４０を取付け、その取付け状態において床面Ｂに対するカッタブレード３３の傾斜角を調整する。
【００３０】
取付ブラケット４０の取付けに際しては、油圧シリンダ１４の作動により排土板１１を床面Ｂより浮かせた状態で排土板１１の一側に取付ブラケット４０を配置し、その取付ブラケット４０の上部および下部のガイド溝４３内に排土板１１の上部一側および下部一側が嵌合されるように取付ブラケット４０の位置を調整したのち、取付ブラケット４０を排土板１１の長さ方向に押し込み、取付ブラケット４０を排土板１１の所定の位置まで移動させたのち、固定ボルト４５の締付けを行ない、かつロックナット４６を締付けて取付ブラケット４０を固定する。
【００３１】
取付ブラケット４０の固定後におけるカッタブレード３３の傾斜角度の調整は、ボルト５２を引き抜き、連結ピン４８を中心に剥離機２０を揺動させて床面Ｂに対するカッタブレード３３の傾斜角を調整する。調整後、ピン孔３６と、そのピン孔３６に一致するボルト挿入孔５１とにボルト５２を挿入し、そのボルト５２にナット５３をねじ係合して剥離機２０を固定する。
【００３２】
実施の形態では、取付ブラケット４０の側板４２に３つのボルト挿入孔５１を形成しているため、図２、図７および図８に示すように、カッタブレード３３の傾斜角度θを３段階に調整することができる。
【００３３】
床材Ａの剥離に際しては、油圧シリンダ１４の作動により排土板１１を下降させ、図２に示すように、カッタブレード３３の刃先３３ａを床面に押し付け、その押し付け状態を保持して起振器２７を駆動し、前後に往復動するカッタブレード３３の先端の刃先３３ａを床面Ｂと床材Ａの間に侵入させつつ小型油圧ショベル１を前進動させて床材Ａを次々と剥離する。
【００３４】
ここで、床面Ｂがカッタブレード３３の移動方向に対して交差方向に波を打っている場合、カッタブレード３３の一部が床面Ｂに接触し、その接触点回りに回転力を受ける。このとき、前部シャフト２９および後部シャフト３０は回転自在に支持され、また、起振器２７は弾性体２８により支持されているため、起振器２７が弾性体２８の弾性に抗して前部シャフト２９および後部シャフト３０の軸心を中心にして回動し、その回動によりカッタブレード３３の刃先３３ａの全体が床面Ｂに接触する状態とされる。
【００３５】
このため、カッタブレード３３の刃先３３ａは床面Ｂに対して常に全長にわたって接触する状態に保持され、床材Ａを効果的に剥離することができると共に、きれいな剥離面を得ることができる。また、カッタブレード３３の刃先３３ａの一部に集中応力が負荷されることもないため、カッタブレード３３の折損や弾性体２８の破損を防止し、耐久性に優れた剥離ユニットＵを得ることができる。
【００３６】
上記のように、床面Ｂに刃先３３ａを接触させたカッタブレード３３を起振器２７の作動により前後に往復動させつつ小型油圧ショベル１を前進動させることによって床材Ａを剥離することができるため、床材Ａをきわめて能率よく剥離することができる。
【００３７】
また、改装工事に使用される小型油圧ショベル１の排土板１１に取付ブラケット４０を介して剥離機２０を取付けるようにしたので、コストの安い剥離装置を得ることができると共に、アーム６の先端にバケット８を取付けた状態での作業となるため、床材Ａの剥離とバケット８による剥離床材Ａの回収作業とを連続して能率よく行なうことができる。
【００３８】
さらに、取付ブラケット４０は、ロックナット４６および固定ボルト４５を弛めることにより、図４の実線および一点鎖線で示すように排土板１１の側部まで位置調整することができるため、壁際の床材Ａも確実に剥離することができる。
【００３９】
この発明に係る床材剥離装置においては、油圧モータ３１によって起振器２７を振動させつつ油圧ショベル１を走行させる必要がある。その駆動源には油圧ショベル１に搭載された油圧ポンプを使用するため、油圧モータ３１の作動圧が走行駆動用油圧モータの作動圧より低すぎると、油圧ポンプから吐出される油圧は上記油圧モータ３１に流れて走行に必要な油圧を確保することができなくなり、起振器駆動用油圧モータ３１と、走行駆動用油圧モータとが最も好ましい状態で作動するよう油圧回路中に流量調節弁を設けておくようにする。
【００４０】
図３に示す実施の形態では、ベース板４１の背面上下に設けられたガイド溝４３に排土板１１の上下部を嵌合し、ねじ孔４４にねじ係合される固定ボルト４５の締付けによって排土板１１に取付ブラケット４０を取付けるようにしたが、取付ブラケット４０の取付けはこれに限定されるものではない。
【００４１】
例えば、図９に示すように、ベース板４１の背面下部にのみガイド溝４３を設け、剥離ユニットＵを床面に載置した状態で上記ガイド溝４３内に排土板１１の下部を挿入し、上記ベース板４１の下部にねじ込まれた固定ボルト４５の締付けによってベース板４１の下部を固定すると共に、排土板１１の背面上部にＬ形の係合片６０を係合し、ベース板４１の表面側から上記係合片６０にねじ込まれる締付ボルト６１の締付けにより、ベース板４１の上部と係合片６０とで排土板１１の上部を挾持して、ベース板４１の上部を固定するようにしてもよい。
【００４２】
図９に示す取付ブラケット４０の場合、排土板１１の表面側からその取付ブラケット４０を簡単に取付けることができる。
【００４３】
図１０（Ｉ）に示すように、排土板１１の背面上下部に設けられたガイド溝４３のうち、上側のガイド溝４３の深さを下側のガイド溝４３より深くしておくと、図１０（Ｉ）に示すように、上側のガイド溝４３内に排土板１１の上部を挿入し、その排土板１１を上方に揺動させて床面上に載置された剥離ユニットＵを持ち上げると、ベース板４１が排土板１１の排土押圧面１１ａに衝合し、その状態から排土板１１を下降させて剥離ユニットＵを床面に載置すると、排土板１１の下部が下側のガイド溝４３内に挿入するため、排土板１１に取付ブラケット４０を簡単にセットすることができ、固定ボルト４５の締付けによって上記ブラケット４０を簡単に取付けることができる。
【図面の簡単な説明】
【００４４】
【図１】この発明に係る床材剥離装置の実施の形態を示す正面図
【図２】図１の取付ブラケット部を拡大して示す一部切欠正面図
【図３】図２の取付けブラケットのベース板部を拡大して示す断面図
【図４】図２のIV−IV線に沿った断面図
【図５】図２のＶ−Ｖ線に沿った断面図
【図６】取付ブラケットと剥離機の一部を示す分解斜視図
【図７】カッタブレードの傾斜角度の調整状態を示す正面図
【図８】カッタブレードの傾斜角度の調整状態を示す正面図
【図９】取付ブラケットの他の例を示す断面図
【図１０】（Ｉ）は取付ブラケットのさらに他の例を示す断面図、（II）はその取付ブラケットの取付け状態を示す断面図
【符号の説明】
【００４５】
１    小型油圧ショベル
１１  排土板
２０  剥離機
２７  起振器（駆動装置）
３３  カッタブレード
４０  取付ブラケット
４１  ベース板
４３  ガイド溝
４４  ねじ孔
４５  固定ボルト
【図１】
2006291592.tif 000003
【図２】
2006291592.tif 000004
【図３】
2006291592.tif 000005
【図４】
2006291592.tif 000006
【図５】
2006291592.tif 000007
【図６】
2006291592.tif 000008
【図７】
2006291592.tif 000009
【図８】
2006291592.tif 000010
【図９】
2006291592.tif 000011
【図１０】
2006291592.tif 000012